(57)【要約】【課題】ＵＳＢデバイスのバッテリの乏少化を抑止する「データ処理装置及びコンピュータプログラム」を提供する。【解決手段】車載装置１は、オーディオデータの転送を行いながら給電を行うことのできる通信給電併用モードで、ＵＳＢインタフェースに接続したポータブルプレイヤ２への給電を行っているときに、無線通信インタフェースを介して監視しているポータブルプレイヤのバッテリ残量が所定レベル以下となったならば、ポータブルプレイヤ２との間のオーディオデータの転送に用いるインタフェースを、ＵＳＢインタフェースから無線通信インタフェースに移行し、ＵＳＢインタフェースを給電専用に用いて給電を行う給電専用モードでの、ＵＳＢインタフェースに接続したポータブルプレイヤ２への給電を開始する。【選択図】図４
2016167211.tif 000002
【特許請求の範囲】
【請求項１】
ポータブル装置と接続可能なデータ処理装置であって、
ＵＳＢインタフェースを介してポータブル装置と接続し、接続した前記ポータブル装置との間でデータ伝送を行うと共に、給電モードとして通信給電併用モードが設定されているときに、ＵＳＢインタフェースをデータ通信と給電とに併用する形態で前記ＵＳＢインタフェースを介して前記対象ポータブル装置に給電し、前記給電モードとして給電専用モードが設定されているときに、ＵＳＢインタフェースを給電専用に用いる形態で前記ＵＳＢインタフェースを介して前記対象ポータブル装置に給電するＵＳＢ制御部と、
無線通信インタフェースを介して前記ポータブル装置と接続し、接続した前記ポータブル装置との間でデータ伝送を行う無線通信制御部と、
前記ＵＳＢインタフェースと前記無線通信インタフェースの双方を介して当該データ処理装置に接続しているポータブル装置である対象ポータブル装置のバッテリの残量を、前記無線通信インタフェースを介して監視するバッテリ監視部と、
通信モードとしてＵＳＢモードが設定されているときに前記ＵＳＢ制御部を用いて前記対象ポータブル装置との間で前記ＵＳＢインタフェースを介したデータの転送を行いながらデータの処理を行い、前記通信モードとして無線通信モードが設定されているときに前記無線通信制御部を用いて前記対象ポータブル装置との間で前記無線通信インタフェースを介したデータの転送を行いながらデータの処理を行うデータ処理部と、
前記給電モードとして前記通信給電併用モードが設定されており、かつ、前記通信モードとして前記ＵＳＢモードが設定されている状態で、前記対象ポータブル装置のバッテリの残量が、予め定めた所定のレベルである第１のレベル未満となったときに、前記給電モードの設定を前記給電専用モードに変更すると共に、前記通信モードを前記無線通信モードに変更する第１のモード変更動作を行うモード制御部とを有することを特徴とするデータ処理装置。
【請求項２】
請求項１記載のデータ処理装置であって、
前記モード制御部は、前記給電モードとして前記通信給電併用モードが設定されており、かつ、前記通信モードとして前記ＵＳＢモードが設定されている状態で、前記対象ポータブル装置のバッテリの残量が、予め定めた所定のレベルである第１のレベル未満となったときに、モードの切替の要否をユーザに問い合わせ、切替要がユーザから指示された場合に、前記第１のモード変更動作を行うことを特徴とするデータ処理装置。
【請求項３】
請求項１記載のデータ処理装置であって、
前記モード制御部は、前記給電モードとして前記通信給電併用モードが設定されており、かつ、前記通信モードとして前記ＵＳＢモードが設定されている状態で、前記対象ポータブル装置のバッテリの残量が、予め定めた所定のレベルである第１のレベル未満となったときに、前記給電モードの設定を前記給電専用モードに変更することにより前記対象ポータブル装置に対する給電電流が増加する場合に、前記第１のモード変更動作を行うことを特徴とするデータ処理装置。
【請求項４】
請求項１記載のデータ処理装置であって、
前記モード制御部は、前記給電モードとして前記通信給電併用モードが設定されており、かつ、前記通信モードとして前記ＵＳＢモードが設定されている状態で、前記対象ポータブル装置のバッテリの残量が、予め定めた所定のレベルである第１のレベル未満となったときに、前記データ処理部が前記対象ポータブル装置から前記ＵＳＢインタフェースを介してデータを取得中である場合には、当該データの取得の終了を待って、前記第１のモード変更動作を行うことを特徴とするデータ処理装置。
【請求項５】
請求項１記載のデータ処理装置であって、
前記データ処理部が前記対象ポータブル装置との間で転送するデータは楽曲のデータであり、
前記データ処理部は前記対象ポータブル装置から前記転送で取得した楽曲のデータを再生出力し、
前記モード制御部は、前記給電モードとして前記通信給電併用モードが設定されており、かつ、前記通信モードとして前記ＵＳＢモードが設定されている状態で、前記対象ポータブル装置のバッテリの残量が、予め定めた所定のレベルである第１のレベル未満となったときに、前記データ処理部が前記対象ポータブル装置から前記ＵＳＢインタフェースを介して楽曲のデータを取得中である場合には、当該楽曲のデータの取得の終了を待って、前記第１のモード変更動作を行うことを特徴とするデータ処理装置。
【請求項６】
請求項１、２、３、４または５記載のデータ処理装置であって、
前記モード制御部は、前記給電モードとして前記給電専用モードが設定されており、かつ、前記通信モードとして前記無線通信モードが設定されている状態で、前記対象ポータブル装置のバッテリの残量が、前記第１のレベルよりも大きい所定のレベルである第２のレベル以上となったときに、前記給電モードの設定を前記通信給電併用モードに変更すると共に、前記通信モードを前記ＵＳＢモードに変更する第２のモード変更動作を行うことを特徴とするデータ処理装置。
【請求項７】
請求項５記載のデータ処理装置であって、
前記モード制御部は、前記給電モードとして前記給電専用モードが設定されており、かつ、前記通信モードとして前記無線通信モードが設定されている状態で、前記対象ポータブル装置のバッテリの残量が、前記第１のレベルよりも大きい所定のレベルである第２のレベル以上となったときに、前記データ処理部が前記対象ポータブル装置から前記無線通信インタフェースを介して楽曲のデータを取得中であるかどうかを判定し、取得中でない場合には直ちに、取得中である場合には、当該楽曲のデータの取得の終了を待って、前記給電モードの設定を前記通信給電併用モードに変更すると共に、前記通信モードを前記ＵＳＢモードに変更する第２のモード変更動作を行うことを特徴とするデータ処理装置。
【請求項８】
請求項１、２、３、４、５、６または７記載のデータ処理装置であって、
前記無線通信インタフェースはBluetooth(登録商標)規格で規定された無線通信インタフェースであることを特徴とするデータ処理装置。
【請求項９】
請求項１、２、３、４、５、６または７記載のデータ処理装置であって、
当該データ処理装置は、自動車に搭載されたデータ処理装置であり、前記ポータブル装置はポータブルオーディオプレイヤの機能を備えたポータブル装置であることを特徴とするデータ処理装置。
【請求項１０】
ＵＳＢ制御部と無線通信制御部とを備えたコンピュータによって読み取られ実行されるコンピュータプログラムであって、
前記ＵＳＢ制御部は、ＵＳＢインタフェースを介してポータブル装置と接続し、接続した前記ポータブル装置との間でデータ伝送を行うと共に、給電モードとして通信給電併用モードが設定されているときに、ＵＳＢインタフェースをデータ通信と給電とに併用する形態で前記ＵＳＢインタフェースを介して前記対象ポータブル装置に給電し、前記給電モードとして給電専用モードが設定されているときに、ＵＳＢインタフェースを給電専用に用いる形態で前記ＵＳＢインタフェースを介して前記対象ポータブル装置に給電し、
前記無線通信制御部は、無線通信インタフェースを介して前記ポータブル装置と接続し、接続した前記ポータブル装置との間でデータ伝送を行い、
当該コンピュータプログラムは、前記コンピュータを、
前記ＵＳＢインタフェースと前記無線通信インタフェースの双方を介して当該データ処理装置に接続しているポータブル装置である対象ポータブル装置のバッテリの残量を、前記無線通信インタフェースを介して監視するバッテリ監視部と、
通信モードとしてＵＳＢモードが設定されているときに前記ＵＳＢ制御部を用いて前記対象ポータブル装置との間で前記ＵＳＢインタフェースを介したデータの転送を行いながらデータの処理を行い、前記通信モードとして無線通信モードが設定されているときに前記無線通信制御部を用いて前記対象ポータブル装置との間で前記無線通信インタフェースを介したデータの転送を行いながらデータの処理を行うデータ処理部と、
前記給電モードとして前記通信給電併用モードが設定されており、かつ、前記通信モードとして前記ＵＳＢモードが設定されている状態で、前記対象ポータブル装置のバッテリの残量が、予め定めた所定のレベルである第１のレベル未満となったときに、前記給電モードの設定を前記給電専用モードに変更すると共に、前記通信モードを前記無線通信モードに変更する第１のモード変更動作を行うモード制御部として機能させることを特徴とするコンピュータプログラム。
【請求項１１】
請求項１０記載のコンピュータプログラムであって、
前記モード制御部は、前記給電モードとして前記通信給電併用モードが設定されており、かつ、前記通信モードとして前記ＵＳＢモードが設定されている状態で、前記対象ポータブル装置のバッテリの残量が、予め定めた所定のレベルである第１のレベル未満となったときに、モードの切替の要否をユーザに問い合わせ、切替要がユーザから指示された場合に、前記第１のモード変更動作を行うことを特徴とするコンピュータプログラム。
【請求項１２】
請求項１０記載のコンピュータプログラムであって、
前記モード制御部は、前記給電モードとして前記通信給電併用モードが設定されており、かつ、前記通信モードとして前記ＵＳＢモードが設定されている状態で、前記対象ポータブル装置のバッテリの残量が、予め定めた所定のレベルである第１のレベル未満となったときに、前記給電モードの設定を前記給電専用モードに変更することにより前記対象ポータブル装置に対する給電電流が増加する場合に、前記第１のモード変更動作を行うことを特徴とするコンピュータプログラム。
【請求項１３】
請求項１０記載のコンピュータプログラムであって、
前記モード制御部は、前記給電モードとして前記通信給電併用モードが設定されており、かつ、前記通信モードとして前記ＵＳＢモードが設定されている状態で、前記対象ポータブル装置のバッテリの残量が、予め定めた所定のレベルである第１のレベル未満となったときに、前記データ処理部が前記対象ポータブル装置から前記ＵＳＢインタフェースを介してデータを取得中である場合には、当該データの取得の終了を待って、前記第１のモード変更動作を行うことを特徴とするコンピュータプログラム。
【請求項１４】
請求項１０記載のコンピュータプログラムであって、
前記データ処理部が前記対象ポータブル装置との間で転送するデータは楽曲のデータであり、
前記データ処理部は前記対象ポータブル装置から前記転送で取得した楽曲のデータを再生出力し、
前記モード制御部は、前記給電モードとして前記通信給電併用モードが設定されており、かつ、前記通信モードとして前記ＵＳＢモードが設定されている状態で、前記対象ポータブル装置のバッテリの残量が、予め定めた所定のレベルである第１のレベル未満となったときに、前記データ処理部が前記対象ポータブル装置から前記ＵＳＢインタフェースを介して楽曲のデータを取得中である場合には、当該楽曲のデータの取得の終了を待って、前記第１のモード変更動作を行うことを特徴とするコンピュータプログラム。
【請求項１５】
請求項１０、１１、１２、１３または１４記載のコンピュータプログラムであって、
前記モード制御部は、前記給電モードとして前記給電専用モードが設定されており、かつ、前記通信モードとして前記無線通信モードが設定されている状態で、前記対象ポータブル装置のバッテリの残量が、前記第１のレベルよりも大きい所定のレベルである第２のレベル以上となったときに、前記給電モードの設定を前記通信給電併用モードに変更すると共に、前記通信モードを前記ＵＳＢモードに変更する第２のモード変更動作を行うことを特徴とするコンピュータプログラム。
【請求項１６】
請求項１４記載のコンピュータプログラムであって、
前記モード制御部は、前記給電モードとして前記給電専用モードが設定されており、かつ、前記通信モードとして前記無線通信モードが設定されている状態で、前記対象ポータブル装置のバッテリの残量が、前記第１のレベルよりも大きい所定のレベルである第２のレベル以上となったときに、前記データ処理部が前記対象ポータブル装置から前記無線通信インタフェースを介して楽曲のデータを取得中であるかどうかを判定し、取得中でない場合には直ちに、取得中である場合には、当該楽曲のデータの取得の終了を待って、前記給電モードの設定を前記通信給電併用モードに変更すると共に、前記通信モードを前記ＵＳＢモードに変更する第２のモード変更動作を行うことを特徴とするコンピュータプログラム。
【請求項１７】
請求項１０、１１、１２、１３、１４、１５または１６記載のコンピュータプログラムであって、
前記無線通信インタフェースはBluetooth規格で規定された無線通信インタフェースであることを特徴とするコンピュータプログラム。
【発明の詳細な説明】
【技術分野】
【０００１】
本発明は、ＵＳＢ（Universal Serial Bus）規格の通信インタフェースでＵＳＢデバイスが接続されるＵＳＢホスト装置において、当該ＵＳＢデバイスに対して給電を行う技術に関するものである。
【背景技術】
【０００２】
ＵＳＢホスト装置において、ＵＳＢ（Universal Serial Bus）規格の通信インタフェース(以下、ＵＳＢインタフェースと称する)で接続されたＵＳＢデバイスに給電する技術としては、ＳＤＰ（Standard Downstream Port）、ＣＤＰ（Charging Downstream Port）、ＤＣＰ（ Dedicate Charging Port）などの規格に従ってＵＳＢデバイスに給電する技術や、メーカ独自の規格に従ってＵＳＢデバイスに給電する技術が知られている（たとえば、特許文献１）。
【０００３】
上述したＳＤＰとＣＤＰは、ＵＳＢインタフェースでデータ通信を行いながら、ＵＳＢデバイスに給電を行うことが可能な規格であり、上述したＤＣＰは、ＵＳＢインタフェースを給電専用に用いて給電を行う規格となっている。また、メーカ独自の規格は、おおよそＵＳＢインタフェースを給電専用に用いて給電を行うものである。
【０００４】
また、ＵＳＢインタフェースを給電専用に用いて給電を行うＤＣＰやメーカ独自の規格を用いた場合、ＵＳＢデバイスがＵＳＢホスト装置から引き出すことができる電流の大きさは、ＳＤＰよりも大きく、ＤＣＰと同程度かそれ以上となる。
【０００５】
ここで、ＵＳＢホスト装置としては、ポータブルプレイヤがストリーミング出力するオーディオデータを、ＵＳＢインタフェースでポータブルプレイヤから取得して再生出力するＵＳＢホスト装置が知られている（たとえば、特許文献２）。
【先行技術文献】
【特許文献】
【０００６】
【特許文献１】特開2014-182705号公報
【特許文献２】特開2009-266265号公報
【発明の概要】
【発明が解決しようとする課題】
【０００７】
さて、ＵＳＢホスト装置において、ＵＳＢインタフェースを介して接続したポータブルプレイヤから、ポータブルプレイヤがストリーミング出力するオーディオデータを取得して再生出力する場合に、ポータブルプレイヤにおける電力消費が大きく、ＵＳＢホスト装置から給電を行っているにも関わらずポータブルプレイヤのバッテリが残量が乏少となってしまうことや、ポータブルプレイヤのバッテリを充分に充電できないことがある。
【０００８】
なお、ＵＳＢホスト装置において、ＵＳＢインタフェースを介して接続したポータブルプレイヤからオーディオデータを取得して再生出力する場合には、ＵＳＢホスト装置は、データ通信を行いながらＵＳＢデバイスに給電を行うことが可能なＳＤＰやＣＤＰでポータブルプレイヤに対する給電を行う事となる。そして、ＳＤＰやＣＤＰで給電を行う場合には、ＵＳＢデバイスが引き出すことのできる電流の大きさは、ＵＳＢインタフェースを給電専用に用いるＤＣＰや他のメーカ独自の規格を用いた場合に比べ小さくなる傾向がある。
【０００９】
さて、以上を踏まえ、本発明は、ＵＳＢインタフェースでポータブル装置との間でデータ転送を行うデータ処理装置において、ポータブル装置バッテリの残量が乏少となってしまわないように、または、ポータブル装置のバッテリを充分に充電できるようにＵＳＢインタフェースを介してポータブルプレイヤを給電することを課題とする。
【課題を解決するための手段】
【００１０】
前記課題達成のために、本発明は、ポータブル装置と接続可能なデータ処理装置に、ＵＳＢインタフェースを介してポータブル装置と接続し、接続した前記ポータブル装置との間でデータ伝送を行うと共に、給電モードとして通信給電併用モードが設定されているときに、ＵＳＢインタフェースをデータ通信と給電とに併用する形態で前記ＵＳＢインタフェースを介して前記対象ポータブル装置に給電し、前記給電モードとして給電専用モードが設定されているときに、ＵＳＢインタフェースを給電専用に用いる形態で前記ＵＳＢインタフェースを介して前記対象ポータブル装置に給電するＵＳＢ制御部と、無線通信インタフェースを介して前記ポータブル装置と接続し、接続した前記ポータブル装置との間でデータ伝送を行う無線通信制御部と、前記ＵＳＢインタフェースと前記無線通信インタフェースの双方を介して当該データ処理装置に接続しているポータブル装置である対象ポータブル装置のバッテリの残量を、前記無線通信インタフェースを介して監視するバッテリ監視部と、通信モードとしてＵＳＢモードが設定されているときに前記ＵＳＢ制御部を用いて前記対象ポータブル装置との間で前記ＵＳＢインタフェースを介したデータの転送を行いながらデータの処理を行い、前記通信モードとして無線通信モードが設定されているときに前記無線通信制御部を用いて前記対象ポータブル装置との間で前記無線通信インタフェースを介したデータの転送を行いながらデータの処理を行うデータ処理部と、前記給電モードとして前記通信給電併用モードが設定されており、かつ、前記通信モードとして前記ＵＳＢモードが設定されている状態で、前記対象ポータブル装置のバッテリの残量が、予め定めた所定のレベルである第１のレベル未満となったときに、前記給電モードの設定を前記給電専用モードに変更すると共に、前記通信モードを前記無線通信モードに変更する第１のモード変更動作を行うモード制御部とを備えたものである。
【００１１】
ここで、このようなデータ処理装置は、前記モード制御部において、前記給電モードとして前記通信給電併用モードが設定されており、かつ、前記通信モードとして前記ＵＳＢモードが設定されている状態で、前記対象ポータブル装置のバッテリの残量が、予め定めた所定のレベルである第１のレベル未満となったときに、モードの切替の要否をユーザに問い合わせ、切替要がユーザから指示された場合に、前記第１のモード変更動作を行うように構成してもよい。
【００１２】
また、このようなデータ処理装置は、前記モード制御部において、前記給電モードとして前記通信給電併用モードが設定されており、かつ、前記通信モードとして前記ＵＳＢモードが設定されている状態で、前記対象ポータブル装置のバッテリの残量が、予め定めた所定のレベルである第１のレベル未満となったときに、前記給電モードの設定を前記給電専用モードに変更することにより前記対象ポータブル装置に対する給電電流が増加する場合に、前記第１のモード変更動作を行うように構成してもよい。
【００１３】
また、このようなデータ処理装置は、前記モード制御部において、前記給電モードとして前記通信給電併用モードが設定されており、かつ、前記通信モードとして前記ＵＳＢモードが設定されている状態で、前記対象ポータブル装置のバッテリの残量が、予め定めた所定のレベルである第１のレベル未満となったときに、前記データ処理部が前記対象ポータブル装置から前記ＵＳＢインタフェースを介してデータを取得中である場合には、当該データの取得の終了を待って、前記第１のモード変更動作を行うように構成してもよい。
【００１４】
また、このようなデータ処理装置は、前記データ処理部が前記対象ポータブル装置からデータを取得するデータを楽曲のデータとし、前記データ処理部において、前記対象ポータブル装置から前記転送で取得した楽曲のデータを再生出力し、前記モード制御部において、前記給電モードとして前記通信給電併用モードが設定されており、かつ、前記通信モードとして前記ＵＳＢモードが設定されている状態で、前記対象ポータブル装置のバッテリの残量が、予め定めた所定のレベルである第１のレベル未満となったときに、前記データ処理部が前記対象ポータブル装置から前記ＵＳＢインタフェースを介して楽曲のデータを取得中である場合には、当該楽曲のデータの取得の終了を待って、前記第１のモード変更動作を行うようにしてもよい。
【００１５】
また、以上の各データ処理装置は、前記モード制御部において、前記給電モードとして前記給電専用モードが設定されており、かつ、前記通信モードとして前記無線通信モードが設定されている状態で、前記対象ポータブル装置のバッテリの残量が、前記第１のレベルよりも大きい所定のレベルである第２のレベル以上となったときに、前記給電モードの設定を前記通信給電併用モードに変更すると共に、前記通信モードを前記ＵＳＢモードに変更する第２のモード変更動作を行うように構成してもよい。
【００１６】
また、上述した、前記データ処理部において、前記対象ポータブル装置から前記転送で取得した楽曲のデータを再生出力するデータ処理装置は、前記モード制御部において、前記給電モードとして前記給電専用モードが設定されており、かつ、前記通信モードとして前記無線通信モードが設定されている状態で、前記対象ポータブル装置のバッテリの残量が、前記第１のレベルよりも大きい所定のレベルである第２のレベル以上となったときに、前記データ処理部が前記対象ポータブル装置から前記無線通信インタフェースを介して楽曲のデータを取得中であるかどうかを判定し、取得中でない場合には直ちに、取得中である場合には、当該楽曲のデータの取得の終了を待って、前記給電モードの設定を前記通信給電併用モードに変更すると共に、前記通信モードを前記ＵＳＢモードに変更する第２のモード変更動作を行うように構成してもよい。
【００１７】
ここで、以上のデータ処理装置において、前記無線通信インタフェースとしては、たとえば、Bluetooth(登録商標)規格で規定された無線通信インタフェースを用いることができる。
【００１８】
また、以上のデータ処理装置は、自動車に搭載されたデータ処理装置であってよく、前記ポータブル装置はポータブルオーディオプレイヤの機能を備えたポータブル装置であってよい。
【００１９】
以上のように、本発明に係るデータ処理装置によれば、ＵＳＢインタフェースを介して通信を行っているポータブル装置のバッテリの残量が所定のレベル未満になったときに、ポータブル装置との間の通信に用いるインタフェースを、ＵＳＢインタフェースから無線通信インタフェースに移行し、ＵＳＢインタフェースを給電専用に用いて給電を行う給電専用モードでの、ＵＳＢインタフェースに接続したポータブル装置への給電を開始する。ここで、一般的には、ＵＳＢインタフェースを給電専用に用いて給電を行う給電専用モードは、ＵＳＢインタフェースをデータ通信と給電とに併用する通信給電併用モードよりも給電能力が大きく、高速にポータブル装置を充電することができる。
【００２０】
よって、本発明によれば、データ処理装置とポータブル装置との間で、ポータブル装置のバッテリの残量が乏しくなるまでは、ＵＳＢインタフェースを介してデータ転送を行いつつ、ポータブル装置のバッテリが残量不足の発生の抑止や、ポータブル装置のバッテリの充分な充電を実現することができるようになる。また、ＵＳＢインタフェースを給電専用に用いて給電を行う給電専用モードで給電を行っている期間中も、データ処理装置とポータブル装置との間のデータの転送を維持することができる。
【発明の効果】
【００２１】
以上のように、本発明によれば、ＵＳＢインタフェースでポータブル装置との間でデータ転送を行うデータ処理装置において、ポータブル装置バッテリの残量が乏少となってしまわないように、または、ポータブル装置のバッテリを充分に充電できるようにＵＳＢインタフェースを介してポータブルプレイヤを給電することができる。
【図面の簡単な説明】
【００２２】
【図１】本発明の実施形態に係る車載装置の構成を示すブロック図である。
【図２】本発明の実施形態に係る車載装置の配置例を示す図である。
【図３】本発明の実施形態に係るＵＳＢ給電モード制御処理を表すフローチャートである。
【図４】本発明の実施形態に係るＵＳＢ給電モード制御処理の処理例を示す図である。
【図５】本発明の実施形態に係る車載装置の表示例を示す図である。
【発明を実施するための形態】
【００２３】
以下、本発明の実施形態について自動車に搭載される車載装置への適用を例にとり説明する。
図１に、本第１実施形態に係る車載装置の構成を示す。
図示するように車載装置１は、ディスプレイ１０１、入力装置１０２、スピーカを用いて音声を出力する音声出力装置１０３、記憶装置１０４、その他の周辺装置１０５、車載装置１のオペレーティングシステム１０６、オペレーティングシステム１０６によって管理されオペレーティングシステム１０６上で稼働するアプリケーション、ＵＳＢコントローラ１０７、ＢＴモジュール１０８とを備えている。
【００２４】
また、車載装置１は、上述したアプリケーションとして、プレイヤアプリケーション１１１、ＵＳＢ給電モード制御アプリケーション１１２と、その他の各種のアプリケーション１１３を備えている。
【００２５】
また、オペレーティングシステム１０６には、ＵＳＢドライバ１２１とＢＴドライバ１２２が組み込まれている。
ただし、車載装置１は、ＣＰＵやメモリやその他の周辺デバイスを備えたコンピュータを用いて構成されるものであり、オペレーティングシステム１０６、ＵＳＢドライバ１２１、ＢＴドライバ１２２、各アプリケーション１１１-１１３は、ＣＰＵが所定のコンピュータプログラムを実行することにより実現されるものである。
【００２６】
さて、以上のような車載装置１の構成において、ＵＳＢコントローラ１０７は、ＵＳＢ規格に従った有線通信インタフェースであるＵＳＢインタフェースで接続したＵＳＢデバイスとの間のデータの伝送や、ＵＳＢインタフェースを介したＵＳＢデバイスへの給電などを行う。
【００２７】
ここで、ＵＳＢコントローラ１０７は、ＵＳＢインタフェースを介して行う給電のモードとして、データ通信を行いながらＵＳＢデバイスに給電を行う通信給電併用モードと、ＵＳＢインタフェースを給電専用に用いて給電を行う給電専用モードとを備えている。より、具体的には、通信給電併用モードは、上述したＳＤＰやＣＤＰで給電を行うモードであり、給電専用モードは、上述したＤＣＰや、ＵＳＢインタフェースを給電専用に用いるメーカ独自の規格で給電を行うモードである。
【００２８】
次に、ＵＳＢドライバ１２１は、ＵＳＢコントローラ１０７を制御し、オペレーティングシステム１０６や各アプリケーション１１１-１１３にＵＳＢインタフェースを介した各種のデータ通信機能を提供する。ここで、ＵＳＢドライバ１２１が提供するデータ通信機能には、ＵＳＢインタフェースを介してオーディオデータをストリーム転送するUSB-Audioクラスの機能が含まれる。また、ＵＳＢドライバ１２１は、ＵＳＢコントローラ１０７の給電のモードを制御する機能を備えている。
【００２９】
次に、ＢＴモジュール１０８は、Bluetooth(登録商標)規格に従った無線通信インタフェースであるＢＴインタフェースを介したデータの伝送などを行う。
そして、ＢＴドライバ１２２は、ＢＴモジュール１０８を制御し、ＢＴモジュール１０８と共にBluetoothの各種プロファイルの機能を実現ためのスタックを含んでおり、ＢＴドライバ１２２が実現するプロファイルには、ＢＴインタフェースに接続したBluetooth対応デバイスとの間でオーディオデータをストリーム転送するA2DP(Advanced Audio Distribution Profile)や、ＢＴインタフェースに接続したBluetooth対応デバイスのバッテリ残量などのバッテリ情報を取得するBAS(Battery Service)を含むプロファイルや、その他の、ＢＴインタフェースに接続したBluetooth対応デバイスとの間で各種のデータ通信機能を提供するプロファイルが含まれる。
【００３０】
なお、ＢＴドライバ１２２が実現する各プロファイルの機能は、オペレーティングシステム１０６やアプリケーション１１１-１１３から利用可能である。
さて、このような構成において、車載装置は、たとえば、図２に示すように自動車のダッシュボード内等に搭載される装置であり、図１、２に示すように、車載装置１には、ＵＳＢインタフェースとＢＴインタフェースを介して、ポータブルプレイヤ２を接続することができる。ここで、ポータブルプレイヤ２は、楽曲を記憶し、記憶した楽曲を再生出力するポータブルオーディオプレイヤやスマートフォンやタブレット装置などの携帯型の装置である。
【００３１】
また、ポータブルプレイヤ２は、ＵＳＢデバイスとしてＵＳＢインタフェースを介して車載装置１と接続する機能と、ＵＳＢインタフェースを介して接続した車載装置１にオーディオデータをストリーム転送するUSB-Audioクラスの機能と、Bluetooth対応デバイスとしてＢＴインタフェースを介して車載装置１と接続する機能と、ＢＴインタフェースを介して接続した車載装置１にオーディオデータをストリーム転送するA2DP（Advanced Audio Distribution Profile）に従った機能を備えている。
【００３２】
そして、ポータブルプレイヤ２は、これらの機能を利用して、ＵＳＢインタフェースやＢＴインタフェースを介して車載装置１に接続し、記憶している楽曲のオーディオデータをＵＳＢインタフェースやＢＴインタフェースを介して車載装置にスリーミング転送することができる。
【００３３】
また、ポータブルプレイヤ２は、内蔵したバッテリで稼働しており、ＵＳＢデバイスとして車載装置１からＵＳＢインタフェースを介して給電を受け、車載装置１の給電モードに従った大きさの電流をＵＳＢインタフェースから引き出してバッテリを充電する機能を備えている。
【００３４】
ここで、A2DPに従った機能によってＢＴインタフェースを介してストリーム転送されるオーディオデータの品質は、A2DP におけるビットレートの制限やA2DP において行われるオーディオデータの非可逆方式による圧縮符号化のために、USB-Audioクラスの機能によってＵＳＢインタフェースを介してストリーム転送されるオーディオデータの品質より低質となることが一般的である。
【００３５】
次に、車載装置１のプレイヤアプリケーション１１１は、楽曲を音声出力装置１０３に再生出力するアプリケーションであり、再生モードとして、ローカル再生モードと、外部ソース再生モードとを備えている。また、通信モードとしてＵＳＢモードと、ＢＴモードとを備えている。そして、プレイヤアプリケーション１１１はローカル再生モードが設定されているときには、記憶装置１０４に記憶されている楽曲を音声出力装置１０３に再生出力する処理を行う。
【００３６】
また、プレイヤアプリケーション１１１は、再生モードとして外部ソース再生モードが設定されており通信モードとしてＵＳＢモードが設定されているときには、ＵＳＢインタフェースを介して車載装置１に接続しているポータブルプレイヤ２を制御し、ポータブルプレイヤ２にポータブルプレイヤ２が記憶している楽曲のオーディオデータをＵＳＢインタフェースを介してスリーミング転送させると共に、スリーミング転送されたオーディオデータを音声出力装置１０３に再生出力する処理を行う。また、プレイヤアプリケーション１１１は、再生モードとして外部ソース再生モードが設定されており通信モードとしてＢＴモードが設定されているときには、ＢＴインタフェースを介して車載装置１に接続しているポータブルプレイヤ２を制御し、ポータブルプレイヤ２にポータブルプレイヤ２が記憶している楽曲のオーディオデータをＢＴインタフェースを介してスリーミング転送させると共に、スリーミング転送されたオーディオデータを音声出力装置１０３に再生出力する処理を行う。
【００３７】
以下、このような車載装置１の構成において、ＵＳＢ給電モード制御アプリケーション１１２が行うＵＳＢ給電モード制御処理について説明する。
図３に、ＵＳＢ給電モード制御処理の手順を示す。
図示するように、ＵＳＢ給電モード制御処理において、ＵＳＢ給電モード制御アプリケーション１１２は、まず、ＵＳＢドライバ１２１を介してＵＳＢコントローラ１０７の給電のモードを通信給電併用モードに設定する（ステップ３０２）。
【００３８】
そして、ＵＳＢインタフェースにポータブルプレイヤ２が接続されたならば（ステップ３０４）、プレイヤアプリケーション１１１に通信モードとしてＵＳＢモードを設定する（ステップ３０６）。
【００３９】
そして、ＵＳＢインタフェースを介して車載装置１と接続しているポータブルプレイヤ２が、ＢＴインタフェースを介して車載装置１に接続しているかどうかを調べ（ステップ
３０８）、接続している場合にはステップ３１０に進み、接続していない場合には、接続されるのを待ってからステップ３１０に進む。
【００４０】
次に、このようにしてステップ３１０に進んだならば、ＢＴドライバ１２２の上述したBASを利用して、ポータブルプレイヤ２のバッテリの残量の監視を開始する。
そして、ポータブルプレイヤ２のバッテリの残量が所定しきい値ＴｈＬ（たとえば、４０％）未満となったならば（ステップ３１２）、ＵＳＢコントローラ１０７の給電のモードを、通信給電併用モードから給電専用モードに変更することにより、ポータブルプレイヤ２に供給される電流が増加するかどうかを調べ（ステップ３１４）、増加する場合にはステップ３１６に進み、増加しない場合には、ステップ３０４に戻って、次回のＵＳＢインタフェースを介したポータブルプレイヤ２の接続の発生を待つ。
【００４１】
ここで、ＵＳＢコントローラ１０７の給電のモードを、通信給電併用モードから給電専用モードに変更することにより、ポータブルプレイヤ２に供給される電流が増加するかどうかは、通信給電併用モードで行う給電の規格と、給電専用モードで行う給電の規格と、ＵＳＢインタフェースを介して接続しているポータブルプレイヤ２の仕様によって定まる。ただし、一般的には、給電専用モードで行う給電の規格が、メーカ独自の規格であり、ＵＳＢインタフェースを介して接続しているポータブルプレイヤ２が、そのメーカ独自の規格に対応するものである場合には、通信給電併用モードから給電専用モードに変更することにより、ポータブルプレイヤ２に供給される電流は増加する。また、一般的には、給電専用モードで行う給電の規格がＤＣＰである場合には、ＵＳＢインタフェースを介して接続しているポータブルプレイヤ２に対して通信給電併用モードで行っている給電の規格がＣＤＰであり、かつ、ＵＳＢインタフェースを介して接続しているポータブルプレイヤ２の通信速度がLow SpeedまたはFull Speedである場合を除き、通信給電併用モードから給電専用モードに変更することにより、ポータブルプレイヤ２に供給される電流は増加する。
【００４２】
そこで、ステップ３１４では、たとえば、ＵＳＢインタフェースを介して接続しているポータブルプレイヤ２に対して給電専用モードで行うこととなる給電の規格がＤＣＰであり、かつ、ＵＳＢインタフェースを介して接続しているポータブルプレイヤ２に対して通信給電併用モードで行っている給電の規格がＣＤＰであり、かつ、ＵＳＢインタフェースを介して接続しているポータブルプレイヤ２との間の通信速度がLow SpeedまたはFull Speedである場合には、通信給電併用モードから給電専用モードに変更することにより、ポータブルプレイヤ２に供給される電流は増加しないと判定し、他の場合には、増加すると判定するようにする。
【００４３】
または、予め、ポータブルプレイヤ２の機種毎に、通信給電併用モードから給電専用モードに変更することにより、ポータブルプレイヤ２に供給される電流が増加するかどうかの情報を車載装置１に登録しておき、当該情報とＵＳＢインタフェースを介して接続しているポータブルプレイヤ２の機種とに基づいて、通信給電併用モードから給電専用モードに変更することにより、ポータブルプレイヤ２に供給される電流が増加するかどうかを判別するようにしてもよい。
【００４４】
ただし、給電専用モードにおいてＵＳＢデバイスに供給する電流が、通信給電併用モードより小さくなることはないので、ステップ３１４は省略するようにしてもよい。
さて、このようにしてステップ３１６に進んだならば、プレイヤアプリケーション１１１が現在、ＵＳＢインタフェースを介して接続されたポータブルプレイヤ２からストリーム転送されている楽曲を取得中であるかどうかを調べ（ステップ３１６）、取得中でなければステップ３１８に進み、取得中であれば、取得中である楽曲一曲の取得が終了してからステップ３１８に進む。
【００４５】
そして、ステップ３１８に進んだならば、プレイヤアプリケーション１１１に通信モードとしてＢＴモードを設定する。
通信モードとしてＢＴモードを設定されたプレイヤアプリケーション１１１は、その時点で、再生モードとして外部ソース再生モードが設定されている状態で、ポータブルプレイヤ２に記憶されている一連の楽曲を再生する再生シーケンスを実行中であれば、ＢＴインタフェースを介してポータブルプレイヤ２を制御し、ポータブルプレイヤ２に、以降に再生出力する楽曲のオーディオデータをＢＴインタフェースを介してＢＴインタフェースを介してスリーミング転送させる。そして、以降、プレイヤアプリケーション１１１は、ＢＴインタフェースを介してスリーミング転送されたオーディオデータを音声出力装置１０３に再生出力する。
【００４６】
そして、次に、ＵＳＢコントローラ１０７がＵＳＢインタフェースを介して行っている現在の給電の電流を記憶する（ステップ３２０）。ここで、現在の給電電流の検出は、ＵＳＢインタフェースの電源ラインＶＢＵＳに検出用抵抗を挿入し、検出用抵抗の両端間の電圧を測定することなどにより行うことができる。
【００４７】
そして、ＵＳＢドライバ１２１を介してＵＳＢコントローラ１０７の給電のモードを給電専用モードに設定する（ステップ３２６）。給電専用モードを設定されたＵＳＢコントローラ１０７は、ＵＳＢインタフェースを介してポータブルプレイヤ２に対して行う給電のモードを、給電専用モードに切り替え、以降、ポータブルプレイヤ２に対して給電専用モードでの給電を行う。
【００４８】
ここで、給電のモードの給電専用モードへの切替は、たとえば、次にように行う。
すなわち、給電専用モードとしてＤＣＰを用いている場合には、ＵＳＢインタフェースの、二本のデータ伝送用信号線Ｄ+、Ｄ-、電源ラインＶＢＵＳ、グランド線ＧＮＤの４つの信号線のうちの、電源ラインＶＢＵＳへの電源供給を一旦停止してＵＳＢインタフェースをリセットすると共に、ＵＳＢコントローラ１０７に設けたDCPによる給電を行うポートであるDCPポートに二本のデータ伝送用信号線Ｄ+、Ｄ-を接続して、データ伝送用信号線Ｄ+、Ｄ-を２００Ωの抵抗で短絡した状態で、電源ラインＶＢＵＳへの電源供給を再開することにより、給電のモードの給電専用モードへの切替を行う。
【００４９】
また、給電専用モードとして、データ伝送用信号線Ｄ+と、データ伝送用信号線Ｄ-を所定の電圧とすることにより、給電モードをＵＳＢデバイスが識別できるようにしているメーカ独自規格の給電モードを用いる場合には、電源ラインＶＢＵＳへの電源供給を一旦停止してＵＳＢインタフェースをリセットすると共に、データ伝送用信号線Ｄ+と、データ伝送用信号線Ｄ-を所定の電圧とした状態で、電源ラインへの電源供給を再開することにより、給電のモードの給電専用モードへの切替を行う。
【００５０】
次に、以上のようにして、ＢＴモードと給電専用モードに設定したならば（ステップ３１８、３２２）、ＵＳＢコントローラ１０７がＵＳＢインタフェースを介して行っている現在の給電の電流を算出し、現在の給電電流と、ステップ３２０で記憶した通信給電併用モード設定時の給電電流と比較する（ステップ３２４）。
【００５１】
そして、現在の給電電流がステップ３２０で記憶した通信給電併用モード設定時の給電電流より増加していなければ（ステップ３２４）、ＵＳＢドライバ１２１を介してＵＳＢコントローラ１０７の給電のモードを通信給電併用モードに設定し（ステップ３３４）、プレイヤアプリケーション１１１の通信モードをＵＳＢモードに復帰し（ステップ３３６）、ステップ３０４に戻って、次回のＵＳＢインタフェースを介したポータブルプレイヤ２の接続の発生を待つ。
【００５２】
一方、現在の給電電流がステップ３２０で記憶した給電電流より増加している場合には、ポータブルプレイヤ２のバッテリの残量が所定のしきい値ＴｈＨ（ＴｈＨ＞ＴｈＬ、ＴｈＨは、たとえば、８０％）超となるのを待つ（ステップ３２６）。
【００５３】
そして、バッテリの残量がしきい値ＴｈＨ超となったならば（ステップ３２６）、プレイヤアプリケーション１１１が現在、ＢＴインタフェースを介して接続されたポータブルプレイヤ２からストリーム転送されている楽曲を取得中であるかどうかを調べ（ステップ３２８）、取得中でなければステップ３３０に進み、取得中であれば取得中の楽曲一曲の取得が終了してからステップ３３０に進む。
【００５４】
そして、ステップ３３０に進んだならば、ＵＳＢドライバ１２１を介してＵＳＢコントローラ１０７の給電のモードを通信給電併用モードに設定する。
一方、通信給電併用モードを設定されたＵＳＢコントローラ１０７は、ＵＳＢインタフェースを介してポータブルプレイヤ２に対して行う給電のモードを、通信給電併用モードに切り替え、以降、ポータブルプレイヤ２に対して通信給電併用モードでの給電を行う。
【００５５】
ここで、給電のモードの通信給電併用モードへの切替は、たとえば、次にように行う。
すなわち、通信給電併用モードとしてＳＤＰを用いている場合には、ＵＳＢインタフェースの、二本のデータ伝送用信号線Ｄ+、Ｄ-、電源ラインＶＢＵＳ、グランド線ＧＮＤの４つの信号線のうちの、電源ラインＶＢＵＳへの電源供給を一旦停止してＵＳＢインタフェースをリセットすると共に、ＵＳＢコントローラ１０７に設けたSDPによる給電を行うポートであるSDPポートに、二本のデータ伝送用信号線Ｄ+、Ｄ-を接続した状態で、電源ラインＶＢＵＳへの電源供給を再開することにより、給電のモードの給電専用モードへの切替を行う。
【００５６】
また、通信給電併用モードとしてＣＤＰを用いている場合には、電源ラインＶＢＵＳへの電源供給を一旦停止してＵＳＢインタフェースをリセットした後に、ＵＳＢコントローラ１０７に設けたCDPによる給電を行うポートであるCDPポートに、二本のデータ伝送用信号線Ｄ+、Ｄ-を接続した状態で、電源ラインＶＢＵＳへの電源供給を再開し、その後、ＵＳＢデバイスとの間で、二本のデータ伝送用信号線Ｄ+、Ｄ-を用いた所定のハンドシェイクによるエニュメレーションを行うことにより、給電のモードの給電専用モードへの切替を行う。
【００５７】
そして、次に、プレイヤアプリケーション１１１の通信モードをＵＳＢモードに復帰し（ステップ３３２）、ステップ３１２からの処理に戻る。
通信モードとしてＵＳＢモードを設定されたプレイヤアプリケーション１１１は、その時点で、再生モードとして外部ソース再生モードが設定されている状態で、ポータブルプレイヤ２に記憶されている一連の楽曲を再生する再生シーケンスを実行中であれば、ＵＳＢインタフェースを介してポータブルプレイヤ２を制御し、ポータブルプレイヤ２に、以降に再生出力する楽曲のオーディオデータをＵＳＢインタフェースを介してスリーミング転送させる。そして、以降、プレイヤアプリケーション１１１は、ＵＳＢインタフェースを介してスリーミング転送されたオーディオデータを音声出力装置１０３に再生出力する。
【００５８】
以上、ＵＳＢ給電モード制御アプリケーション１１２が行うＵＳＢ給電モード制御処理について説明した。
ここで、ＵＳＢ給電モード制御アプリケーション１１２は、このようなＵＳＢ給電モード制御処理と並行して、ポータブルプレイヤ２のＵＳＢインタフェースを介した接続の解除と、ポータブルプレイヤ２のＢＴインタフェースを介した接続の解除を監視し、ポータブルプレイヤ２のＵＳＢインタフェースを介した接続の解除が発生した場合や、ポータブルプレイヤ２のＢＴインタフェースを介した接続の解除が発生した場合には、ＵＳＢ給電モード制御処理を再起動してステップ３０２からの処理を行わせる。
【００５９】
次に、図４に、以上のようなＵＳＢ給電モード制御処理による処理例を示す。
いま、図示するように、時刻Ｔ０において、ＵＳＢコントローラ１０７の給電モードが通信給電併用モードに設定されているものとする。また、時刻Ｔ０において、再生モードが外部ソース再生モードに、通信モードがＵＳＢモードに設定されたプレイヤアプリケーション１１１が、ＵＳＢインタフェースを介して車載装置１に接続しているポータブルプレイヤ２から、一連の楽曲のオーディオデータのストリーム転送を受けて再生出力する動作を行っているものとする。また、ポータブルプレイヤ２はＢＴインタフェースを介しても車載装置１に接続しており、時刻Ｔ０におけるポータブルプレイヤ２のバッテリの残量はしきい値ＴｈＬ超であるものとする。
【００６０】
この場合、ＵＳＢ給電モード制御アプリケーション１１２は、ポータブルプレイヤ２のバッテリの残量をＢＴインタフェースを介して監視し、時刻Ｔ１においてバッテリの残量がしきい値ＴｈＬ未満となったならば、その時点でプレイヤアプリケーション１１１がストリーム転送を受けている楽曲ｘのストリーム転送が終了した時点Ｔ２で、プレイヤアプリケーション１１１の通信モードをＢＴモードに、ＵＳＢコントローラ１０７の給電モードを給電専用モードに設定する。
【００６１】
これにより、時刻Ｔ２以降は、ポータブルプレイヤ２から車載装置１への楽曲のオーディオデータのストリーム転送は、ＢＴインタフェースを介して行われるようになると共に、ポータブルプレイヤ２へのＵＳＢインタフェースを介した給電は給電専用モードで行われるようになる。
【００６２】
そして、その後、給電専用モードによるバッテリの充電が進み、時刻Ｔ３においてバッテリの残量がしきい値ＴｈＨとなったならば、その時点でプレイヤアプリケーション１１１がストリーム転送を受けている楽曲ｙのストリーム転送が終了した時点Ｔ４で、プレイヤアプリケーション１１１の通信モードをＵＳＢモードに、ＵＳＢコントローラ１０７の給電モードを通信給電併用モードに設定する。
【００６３】
これにより、時刻Ｔ４以降は、ポータブルプレイヤ２へのＵＳＢインタフェースを介した給電のモードは通信給電併用モードに復帰し、ポータブルプレイヤ２から車載装置１への楽曲のオーディオデータのストリーム転送に用いられるインタフェースもＵＳＢインタフェースに復帰する。
【００６４】
以上、本発明の実施形態について説明した。
以上のように、本実施形態によれば、車載装置１とポータブルプレイヤ２とがＵＳＢインタフェースとＢＴインタフェースとを介して二重に接続されている状態において、ポータブルプレイヤ２のバッテリ残量がしきい値ＴｈＬ以上である場合には、ＵＳＢインタフェースを用いて高品質のオーディオデータをポータブルプレイヤ２から車載装置１にストリーム転送して再生出力しつつ、通信給電併用モードでＵＳＢインタフェースを介してポータブルプレイヤ２のバッテリを充電することがきる。また、ポータブルプレイヤ２のバッテリ残量がしきい値ＴｈＬ未満に乏しくなってしまった場合には、ＢＴインタフェースでオーディオデータをポータブルプレイヤ２から車載装置１にストリーム転送して再生出力することによりオーディオの再生出力を継続しつつ、より充電能力の大きい給電専用モードでＵＳＢインタフェースを介してポータブルプレイヤ２のバッテリを充電することがきる。
【００６５】
よって、本実施形態によれば、ポータブルプレイヤ２のバッテリの残量が乏しくなるまでは、より高品質なオーディオデータの転送を行えることが期待できるＵＳＢインタフェースを介して車載装置１とポータブルプレイヤ２との間でオーディオデータのストリーム転送を行いつつ、ポータブルプレイヤ２のバッテリが残量不足の発生の抑止や、ポータブルプレイヤ２のバッテリの充分な充電を実現することができるようになる。また、ＵＳＢインタフェースを給電専用に用いて給電を行う給電専用モードで給電を行っている期間中も、ポータブルプレイヤ２から車載装置１へのオーディオデータのストリーム転送はＢＴインタフェースを用いて維持されるので、車載装置１における楽曲の再生出力を継続することができる。
【００６６】
ところで、以上の実施形態では、バッテリの残量がしきい値ＴｈＬ未満となったならば自動的に、プレイヤアプリケーション１１１の通信モードをＢＴモードに、ＵＳＢコントローラ１０７の給電モードを給電専用モードに設定するようにしたが、これは、バッテリの残量がしきい値ＴｈＬ未満となったならば、ユーザにモード切替の要否を問い合わせ、ユーザからモード切替要の指示があった場合に、プレイヤアプリケーション１１１の通信モードをＢＴモードに、ＵＳＢコントローラ１０７の給電モードを給電専用モードに設定するようにしてもよい。
【００６７】
すなわち、この場合には、たとえば、図３のＵＳＢ給電モード制御処理を、ステップ３１４で、ＵＳＢコントローラ１０７の給電のモードを通信給電併用モードから給電専用モードに変更することにより、ポータブルプレイヤ２に供給される電流が増加すると判定されたならば、図５に示すような、ユーザにモード切替の要否を問い合わせる問い合わせウインドウをディスプレイ１０１に表示し、問い合わせウインドウに設けた「切替」ボタン５０１の操作で切替指示を受け付けたならばステップ３１６に進み、「切り替えない」ボタン５０２の操作で切替不要を指示されたならば、ステップ３０４に戻って、次回のＵＳＢインタフェースを介したポータブルプレイヤ２の接続の発生を待つように変更して実施すればよい。
【００６８】
また、以上の実施形態は、車載装置１がポータブルプレイヤ２からオーディオデータを取得して再生出力する場合について説明したが、本実施形態はポータブルプレイヤ２からオーディオデータに代えてビデオデータや、スライドショー用の静止画像データを取得して再生出力する場合についても同様に適用することができる。
【００６９】
また、本実施形態は、以上の車載装置１を、車載装置１と同様の構成を有する、自動車に搭載されない装置に置き換えて実施するようにしてもよい。
また、本実施形態は、任意のポータブル装置とＵＳＢインタフェースとＢＴインタフェースとを介して接続し、ポータブル装置とデータ転送を行うデータ処理装置に同様に適用することができる。すなわち、この場合には、オーディオデータをポータブルプレイヤ２とデータ処理装置との間で転送するデータに置き換え、楽曲をポータブル装置とデータ処理装置との間で転送するデータの単位に置き換えて本実施形態を適用するようにすればよい。
【００７０】
また、以上の実施形態は、無線インタフェースとしてBluetoothのインタフェースを用いる場合について説明したが、以上の実施形態では、Bluetoothのインタフェースに代えて、IEEE 802.11規格に規定されるWi-Fiなどの他の無線通信インタフェースを用いるようにしてもよい。
【符号の説明】
【００７１】
１…車載装置、２…ポータブルプレイヤ、１０１…ディスプレイ、１０２…入力装置、１０３…音声出力装置、１０４…記憶装置、１０５…周辺装置、１０６…オペレーティングシステム、１０７…ＵＳＢコントローラ、１０８…ＢＴモジュール、１１１…プレイヤアプリケーション、１１２…ＵＳＢ給電モード制御アプリケーション、１１３…アプリケーション、１２１…ＵＳＢドライバ１２２…ＢＴドライバ。
【図１】
2016167211.tif 000003
【図２】
2016167211.tif 000004
【図３】
2016167211.tif 000005
【図４】
2016167211.tif 000006
【図５】
2016167211.tif 000007